(57)【要約】      （修正有）【課題】折りたたみ部の電力供給経路に負荷がかかりにくいスマートフォン保護ケースを提供する。【解決手段】フリップケース１はホルダ２０と、バッテリモジュール４０と、ケース本体１０とを有する。ホルダ２０は携帯機器Ｍを保持し、携帯機器ＭのコネクタＣを露出させる切り欠き部２２を備える。ケース本体１０の折り曲げ部１１を境界として分けられた２つの領域に、ホルダ及びバッテリモジュールがそれぞれ固定される。バッテリモジュールは、蓄電素子４１と、ケーブル４３及びケーブルコネクタ４３ａを有する。ケーブルは、蓄電素子と接続され、折り曲げ部に沿って配置される。ケーブルコネクタ４３ａは、ケーブルの先端に設けられ、コネクタと着脱可能に接続される。ケーブルが折り曲げ部に沿って配置されているとき、ケーブルコネクタは折り曲げ部に沿った方向において切り欠き部とは反対側に配置される。【選択図】図５
2019022336.tif 000002
【特許請求の範囲】
【請求項１】
携帯機器を収容するフリップケースであって、
前記携帯機器のコネクタを露出させる切り欠き部を備え、前記携帯機器を保持するホルダと、
前記携帯機器に供給される電力を蓄えるバッテリモジュールと、
折り曲げ部を備え、前記折り曲げ部を境界として分けられた２つの領域に前記ホルダ及び前記バッテリモジュールがそれぞれ固定されるケース本体と、を有し、
前記バッテリモジュールは、
蓄電素子と、
前記蓄電素子と接続され、前記折り曲げ部に沿って配置されるケーブルと、
前記ケーブルの先端に設けられ、前記コネクタと着脱可能に接続されるケーブルコネクタと、を有し、
前記ケーブルが前記折り曲げ部に沿って配置されているとき、前記ケーブルコネクタは、前記折り曲げ部に沿った方向において、前記切り欠き部とは反対側に配置されることを特徴とするフリップケース。
【請求項２】
前記バッテリモジュールは、前記ケーブルを収容する凹部を備え、前記ケーブルを前記折り曲げ部に沿って配置させるガイド部材を有することを特徴とする請求項１に記載のフリップケース。
【請求項３】
前記ホルダ及び前記バッテリモジュールが同一平面内に配置されているとき、前記凹部は、前記ホルダに向かって開口していることを特徴とする請求項２に記載のフリップケース。
【請求項４】
前記バッテリモジュールは、前記蓄電素子の充放電を制御する回路が実装された回路基板を有しており、
前記蓄電素子及び前記回路基板は、前記折り曲げ部に沿って並んで配置されており、
前記回路基板は、前記ケーブルコネクタを収容するスペースを形成するための切り欠き部を有することを特徴とする請求項１から３のいずれか１つに記載のフリップケース。
【請求項５】
前記バッテリモジュールは、一端が前記回路基板に接続され、他端が前記ケーブルの基端部に接続された配線を有しており、
前記配線は、前記蓄電素子の外縁のうち、前記ケーブルが配置される側とは反対側の外縁と、前記回路基板が配置される側とは反対側の外縁に沿って配置されていることを特徴とする請求項４に記載のフリップケース。
【請求項６】
前記バッテリモジュールは、前記ケーブルコネクタから突出し、使用者によって保持されるつまみ部を有することを特徴とする請求項１から５のいずれか１つに記載のフリップケース。
【請求項７】
前記折り曲げ部に固定され、前記ケーブルコネクタの端子を収容する端子カバーを有することを特徴とする請求項１から４のいずれか１つに記載のフリップケース。
【請求項８】
前記ケース本体は、
前記ホルダが固定される第１ケース本体と、
前記バッテリモジュールが固定され、前記第１ケース本体に着脱可能に装着される第２ケース本体と、
を有することを特徴とする請求項１から７のいずれか１つに記載のフリップケース。
【請求項９】
前記蓄電素子は、全固体電池であることを特徴とする請求項１から８のいずれか１つに記載のフリップケース。
【請求項１０】
フリップケースに収容された携帯機器に供給される電力を蓄えるバッテリモジュールであって、
前記フリップケースは、
前記携帯機器のコネクタを露出させる切り欠き部を備え、前記携帯機器を保持するホルダと、
折り曲げ部を備え、前記折り曲げ部を境界として分けられた２つの領域に前記ホルダ及び前記バッテリモジュールがそれぞれ固定されるケース本体と、を有し、
前記バッテリモジュールは、
蓄電素子と、
前記蓄電素子と接続され、前記折り曲げ部に沿って配置されるケーブルと、
前記ケーブルの先端に設けられ、前記コネクタと着脱可能に接続されるケーブルコネクタと、を有し、
前記ケーブルが前記折り曲げ部に沿って配置されるとき、前記ケーブルコネクタは、前記折り曲げ部に沿った方向において、前記切り欠き部とは反対側に配置されることを特徴とするバッテリモジュール。
【発明の詳細な説明】
【技術分野】
【０００１】
本発明は、携帯機器を収容するフリップケースと、フリップケースに取り付けられるバッテリモジュールに関する。
【背景技術】
【０００２】
特許文献１に記載のスマートフォン保護ケースは、モバイル通信装置を保護する保護ケースと、この保護ケースに取り付けられるモバイル電源とを有する。モバイル電源は、モバイル通信装置のタッチパネル面を覆うカバー板モジュールと、カバー板モジュールの内部に配置される電源モジュールとを有する。
【０００３】
電源モジュールは、保護ケースに取り付けられたモバイル通信装置に電力を供給する。具体的には、保護ケースのインターフェイスにモバイル通信装置を接続するとともに、モバイル電源の第二接続部を保護ケースの第一接続部に接続すると、電源モジュールの電力が、第二接続部、第一接続部、フレキシブル回路基板及びインターフェイスを介してモバイル通信装置に供給される。
【先行技術文献】
【特許文献】
【０００４】
【特許文献１】実用新案登録第３２０４４６３号
【発明の概要】
【発明が解決しようとする課題】
【０００５】
特許文献１に記載の保護ケースでは、電源モジュールの電力をモバイル通信装置に供給するための電力伝送経路の一部が折りたたみ部の内部に配置されている。ここで、カバー板モジュールによってモバイル通信装置のタッチパネル面を覆ったり、タッチパネル面を露出させたりするときには、折りたたみ部が曲げられることになる。折りたたみ部が何度も曲げられると、折りたたみ部の内部に配置された電力伝送経路に負荷がかかりやすくなり、断線などによって電力が供給できないおそれがある。
【課題を解決するための手段】
【０００６】
本願第１の発明は、携帯機器を収容するフリップケースであって、ホルダと、バッテリモジュールと、ケース本体とを有する。ホルダは、携帯機器を保持し、携帯機器のコネクタを露出させる切り欠き部を備える。バッテリモジュールは、携帯機器に供給される電力を蓄える。ケース本体は、折り曲げ部を備えており、折り曲げ部を境界として分けられた２つの領域には、ホルダ及びバッテリモジュールがそれぞれ固定される。
【０００７】
バッテリモジュールは、蓄電素子と、ケーブルと、ケーブルコネクタとを有する。ケーブルは、蓄電素子と接続され、折り曲げ部に沿って配置される。ケーブルコネクタは、ケーブルの先端に設けられ、コネクタと着脱可能に接続される。ここで、ケーブルが折り曲げ部に沿って配置されているとき、ケーブルコネクタは、折り曲げ部に沿った方向において、切り欠き部とは反対側に配置される。
【０００８】
本願第１の発明によれば、ケーブルを用いることにより、バッテリモジュールと、ホルダに取り付けられた携帯機器とを接続することができる。ここで、ケーブルは、バッテリモジュールの電力を携帯機器に供給するときに用いられるため、ケーブルの使用頻度は、特許文献１に記載された折りたたみ部の使用頻度よりも低くなる。これにより、ケーブルにかかる負荷は、特許文献１に記載された折りたたみ部内の電力伝送経路にかかる負荷よりも低くなりやすい。また、ケース本体の折り曲げ部に沿った方向において、切り欠き部及びケーブルコネクタを互いに反対側に配置させることにより、ケーブルの長さを確保することができ、ケーブルを屈曲させるだけで、ケーブルコネクタを携帯機器のコネクタに接続することができる。
【０００９】
バッテリモジュールには、ガイド部材を設けることができる。ガイド部材は、ケーブルを収容する凹部を備えており、ケーブルを折り曲げ部に沿って配置させる。これにより、フリップケース内において、ケーブルを位置決めしやすくなる。ここで、ホルダ及びバッテリモジュールが同一平面内に配置されているとき、ガイド部材の凹部を、ホルダに向かって開口させることができる。
【００１０】
バッテリモジュールには、回路基板を設けることができる。回路基板には、蓄電素子の充放電を制御する回路が実装されている。蓄電素子及び回路基板は、折り曲げ部に沿って並んで配置することができる。回路基板には、ケーブルコネクタを収容するスペースを形成するための切り欠き部を設けることができる。
【００１１】
バッテリモジュールには、配線を設けることができる。配線の一端は、回路基板に接続され、配線の他端は、ケーブルの基端部に接続される。そして、配線は、蓄電素子の外縁のうち、ケーブルが配置される側とは反対側の外縁と、回路基板が配置される側とは反対側の外縁に沿って配置することができる。なお、蓄電素子としては、全固体電池を用いることができる。
【００１２】
使用者によって保持されるつまみ部をケーブルコネクタに設けることができる。ここで、つまみ部は、ケーブルコネクタから突出している。使用者は、つまみ部を用いることにより、フリップケースからケーブルコネクタを引き出しやすくなる。
【００１３】
ケース本体の折り曲げ部には、ケーブルコネクタの端子を収容する端子カバーを固定することができる。端子カバーを設けることにより、ケーブルコネクタの端子を保護することができる。
【００１４】
ケース本体は、互いに分離された第１ケース本体及び第２ケース本体によって構成することができる。第１ケース本体には、ホルダを固定することができる。第２ケース本体には、バッテリモジュールを固定することができる。そして、第２ケース本体は、第１ケース本体に着脱可能に装着することができる。これにより、複数の第１ケース本体を用意しておけば、第２ケース本体が装着される第１ケース本体を変更することができる。
【００１５】
本願第２の発明は、フリップケースに収容された携帯機器に供給される電力を蓄えるバッテリモジュールである。フリップケースは、ホルダ及びケース本体を有する。ホルダは、携帯機器を保持し、携帯機器のコネクタを露出させる切り欠き部を備えている。ケース本体は、折り曲げ部を備えており、折り曲げ部を境界として分けられた２つの領域には、ホルダ及びバッテリモジュールがそれぞれ固定される。
【００１６】
バッテリモジュールは、蓄電素子と、ケーブルと、ケーブルコネクタとを有する。ケーブルは、蓄電素子と接続され、折り曲げ部に沿って配置される。ケーブルコネクタは、ケーブルの先端に設けられ、コネクタと着脱可能に接続される。ここで、ケーブルが折り曲げ部に沿って配置されるとき、ケーブルコネクタは、折り曲げ部に沿った方向において、切り欠き部とは反対側に配置される。
【００１７】
本願第２の発明においても、本願第１の発明と同様の効果を得ることができる。
【図面の簡単な説明】
【００１８】
【図１】第１実施形態であるフリップケースの外観図である。
【図２】図１に示すフリップケースにおいて、一部の部品を取り外した状態を示す図である。
【図３】図２に示すフリップケースにおいて、一部の部品を取り外した状態を示す図である。
【図４】図３に示すフリップケースにおいて、一部の部品を取り外した状態を示す図である。
【図５】第１実施形態であるフリップケースの分解斜視図である。
【図６】第１実施形態において、ケーブルの使用状態を示す図である。
【図７】第１実施形態の変形例であるフリップケースの外観図である。
【図８】第２実施形態であるフリップケースの外観図である。
【図９】第２実施形態において、フリップケースを折り曲げた状態を示す図である。
【図１０】第２実施形態の変形例であるフリップケースの外観図である。
【図１１】第３実施形態であるフリップケースの外観図である。
【発明を実施するための形態】
【００１９】
（第１実施形態）
本発明の第１実施形態であるフリップケースについて、図１〜図６を用いて説明する。
【００２０】
図１は、フリップケース１を開いた状態を示す図である。図２は、図１に示すフリップケース１において、一部の部品（後述するカバー３０）を取り外した状態を示す図である。図３は、図２に示すフリップケース１において、一部の部品（後述するガイド部材４６ｄ）を取り外した状態を示す図である。図４は、図３に示すフリップケース１において、一部の部品（後述するシート４５及びトップカバー４６）を取り外した状態を示す図である。図５は、フリップケース１の分解斜視図である。図６は、ケーブルの使用状態を示す図である。
【００２１】
フリップケース１はケース本体１０を有しており、ケース本体１０は、例えば、革で形成することができる。ケース本体１０は、フリップケース１の使用時に折り曲げることができる折り曲げ部１１を有する。折り曲げ部１１は、ケース本体１０の左右方向（図１の左右方向）における中央に設けられているとともに、フリップケース１の上下方向において、ケース本体１０の上端から下端まで延びている。フリップケース１の上下方向とは、フリップケース１に携帯機器を取り付けて携帯機器を使用するときの上下方向に相当する。折り曲げ部１１は、後述するように、ホルダ２０が固定される領域と、カバー３０が固定される領域との境界に位置する。
【００２２】
ケース本体１０には、ホルダ２０が固定されている。具体的には、ケース本体１０のうち、折り曲げ部１１に対して図１の右側に位置する領域に、ホルダ２０が固定されている。ホルダ２０には、スマートフォンなどの携帯機器を着脱可能に取り付けることができ、ホルダ２０に携帯機器を取り付けたときに、ホルダ２０は携帯機器を保持する。ホルダ２０をケース本体１０に固定する方法としては、例えば、接着が挙げられる。なお、ホルダ２０をケース本体１０に固定することができればよく、接着に限るものではない。
【００２３】
本実施形態では、ホルダ２０をケース本体１０に固定しているが、これに限るものではない。例えば、ケース本体１０の表面に粘着シートを固定しておき、粘着シートに対してホルダ２０を着脱可能に取り付けることができる。また、ホルダ２０を用いずに、ケース本体１０に固定された粘着シートに対して携帯機器を着脱可能に取り付けることができる。さらに、粘着シートの代わりに、面ファスナーを用いることができる。この場合には、ケース本体１０及びホルダ２０のそれぞれに面ファスナーを固定しておき、これらの面ファスナーを合わせることにより、ホルダ２０をケース本体１０に着脱可能に取り付けることができる。同様に、ケース本体１０及び携帯機器のそれぞれに面ファスナーを固定しておき、これらの面ファスナーを合わせることにより、携帯機器をケース本体１０に着脱可能に取り付けることができる。
【００２４】
ホルダ２０の外縁の一部には、携帯機器を保持するための爪部２１が設けられている。また、ホルダ２０には、２つの爪部２１の間において、切り欠き部２２が設けられている。切り欠き部２２は、フリップケース１の下端に設けられている。
【００２５】
図６に示すように、携帯機器Ｍをホルダ２０に取り付けたとき、切り欠き部２２の内側には、携帯機器ＭのコネクタＣが位置する。すなわち、切り欠き部２２は、携帯機器ＭのコネクタＣをホルダ２０の外部に露出させることにより、携帯機器ＭのコネクタＣに対して、他のコネクタ（後述する第１コネクタ４３ａ）を接続できるようにしている。
【００２６】
ホルダ２０は、開口部２３を有する。開口部２３は、携帯機器をホルダ２０に取り付けたときに、携帯機器に内蔵された撮像装置のレンズと対向する位置に形成されている。また、図５に示すように、ケース本体１０には、開口部２３と対向する位置に開口部１２が形成されており、開口部２３，１２によって撮像装置のレンズをフリップケース１の外部に露出させる。
【００２７】
ケース本体１０には、後述するバッテリモジュール４０を覆うカバー３０が固定されている。具体的には、カバー３０は、ケース本体１０のうち、折り曲げ部１１に対して図１の左側に位置する領域に固定されている。カバー３０は、例えば、革で形成することができる。本実施形態では、カバー３０の外縁部分がケース本体１０に縫合されている。なお、カバー３０をケース本体１０に固定することができればよく、縫合に限るものではない。カバー３０をケース本体１０に固定することにより、カバー３０及びケース本体１０の間に形成されたスペースにバッテリモジュール４０が収容される。
【００２８】
カバー３０には、後述する第１コネクタ４３ａを露出させるための切り欠き部３１が形成されている。これにより、使用者は、第１コネクタ４３ａを操作することができる。切り欠き部３１は、フリップケース１の上端に形成されており、切り欠き部３１に配置される第１コネクタ４３ａの位置は、ホルダ２０の切り欠き部２２が設けられた位置とは反対側となる。すなわち、第１コネクタ４３ａはフリップケース１の上端に沿って配置され、切り欠き部２２はフリップケース１の下端に沿って配置されている。
【００２９】
カバー３０には、開口部３２及び挿入口３３が形成されている。開口部３２は、バッテリモジュール４０から射出した光を、フリップケース１の外部に導くために形成されている。挿入口３３は、カードを挿入するための開口部である。挿入口３３にカードを挿入することにより、カバー３０の内側に形成されたスペースにカードを収容することができる。
【００３０】
図５に示すように、バッテリモジュール４０は、バッテリ４１を有する。バッテリ４１は、板状に形成された、少なくとも１つの全固体電池によって構成されている。複数の全固体電池を用いるときには、これらの全固体電池を重ねて電気的に並列又は直列に接続することにより、バッテリ４１を構成することができる。複数の全固体電池を電気的に並列に接続すれば、バッテリ４１の満充電容量を増やすことができる。一方、複数の全固体電池を電気的に直列に接続すれば、バッテリ４１の出力を増やすことができる。
【００３１】
全固体電池とは、固体電解質を有する二次電池である。全固体電池としては、例えば、薄膜型全固体電池やバルク型全固体電池がある。薄膜型全固体電池では、気相法等によって、正極、負極及び固体電解質のそれぞれを構成する薄膜が形成され、これらの薄膜が積層されている。バルク型全固体電池では、正極、負極及び固体電解質のそれぞれが微粒子の層によって構成されており、これらの層が積層されている。本実施形態では、公知の構造や公知の材料を有する全固体電池を用いて、バッテリ４１を構成することができる。なお、全固体電池以外の二次電池、具体的には、電解液を有する二次電池を用いることもできる。また、二次電池の代わりに、キャパシタ（電気二重層キャパシタ）を用いることもできる。
【００３２】
バッテリ４１は、負極端子４１ａ及び正極端子４１ｂを有しており、負極端子４１ａ及び正極端子４１ｂを除いたバッテリ４１の外面は、絶縁層によって覆われている。負極端子４１ａ及び正極端子４１ｂは、回路基板４２に接続されている。バッテリ４１及び回路基板４２は、折り曲げ部１１に沿って並んで配置されている。具体的には、回路基板４２は、バッテリ４１に対して、フリップケース１の上方に配置されている。図４や図５に示すように、回路基板４２には、後述する第１コネクタ４３ａを収容するスペースを形成するための切り欠き部４２ａが形成されている。
【００３３】
回路基板４２には、バッテリ４１の充電や放電を制御するためのコントローラ（ＣＰＵ；Central Processing Unit）が実装されている。また、回路基板４２には、３つの発光素子４２ｂが実装されている。発光素子４２ｂとしては、例えば、ＬＥＤ（Light Emitting Device）を用いることができる。発光素子４２ｂの発光面にはレンズ４２ｃが配置されている。レンズ４２ｃは、発光素子４２ｂから射出した発散光を収束させる。レンズ４２ｃによって収束された光は、上述したように、カバー３０の開口部３２を通過してフリップケース１の外部に照射される。これにより、使用者は、フリップケース１の外部から発光素子４２ｂの発光状態を確認することができる。
【００３４】
各発光素子４２ｂの発光動作は、回路基板４２に実装されたコントローラ（ＣＰＵ）によって制御される。３つの発光素子４２ｂは、バッテリ４１の充電容量を表示するために用いられる。具体的には、バッテリ４１が満充電状態であるときには、すべての発光素子４２ｂを発光させることができる。そして、バッテリ４１の充電容量が減るにつれて、発光させる発光素子４２ｂの数を段階的に減らすことができる。
【００３５】
なお、本実施形態では、３つの発光素子４２ｂを設けているが、発光素子４２ｂの数は、適宜決めることができる。また、発光素子４２ｂを単に発光させるだけでなく、発光素子４２ｂの発光パターンを切り換えるようにしてもよい。例えば、発光素子４２ｂを常時発光させる発光パターンと、発光素子４２ｂを点滅させる発光パターンとを切り換えるようにしてもよい。そして、１つの発光素子４２ｂを設けた場合において、バッテリ４１の充電容量が予め決められた閾値よりも大きいときには、発光素子４２ｂを常時発光させ、バッテリ４１の充電容量が閾値以下であるときには、発光素子４２ｂを点滅させることができる。
【００３６】
バッテリ４１及び回路基板４２と隣り合う位置には、ケーブル４３が配置されている。具体的には、図４に示すように、ケーブル４３は、バッテリ４１及び回路基板４２に対して、折り曲げ部１１の側に配置されている。ケーブル４３の両端には、第１コネクタ４３ａ（本発明のケーブルコネクタに相当する）及び第２コネクタ４３ｂがそれぞれ設けられている。第１コネクタ４３ａは、端子４３ａ１を有しており、後述するように携帯機器のコネクタに着脱可能に装着される。第２コネクタ４３ｂは、後述するように配線４２ｄを介して回路基板４２に接続されている。
【００３７】
第１コネクタ４３ａは、フリップケース１の上下方向におけるケース本体１０の中央部よりも、フリップケース１の上方に配置することができる。また、第２コネクタ４３ｂは、フリップケース１の上下方向におけるケース本体１０の中央部よりも、フリップケース１の下方に配置することができる。
【００３８】
バッテリ４１及び回路基板４２の下方には、ボトムカバー４４が配置されている。ボトムカバー４４には切り欠き部４４ａが形成されており、切り欠き部４４ａは、上述したカバー３０の切り欠き部３１に対応した形状に形成されている。ボトムカバー４４は、接着剤などを用いてケース本体１０に固定することができる。なお、上述したように、カバー３０をケース本体１０に固定することにより、バッテリモジュール４０を位置決めすることができるため、ボトムカバー４４をケース本体１０に固定しなくてもよい。
【００３９】
バッテリ４１及び回路基板４２の上方には、シート４５が配置されている。シート４５の上方には、トップカバー４６が配置されている。トップカバー４６の外縁部が、ボトムカバー４４の外縁部と接続されることにより、トップカバー４６及びボトムカバー４４の間に形成されたスペースに、バッテリ４１、回路基板４２及びシート４５が配置される。
【００４０】
トップカバー４６には、切り欠き部４６ａ及び開口部４６ｂ，４６ｃが形成されている。切り欠き部４６ａは、上述したカバー３０の切り欠き部３１に対応した形状に形成されている。開口部４６ｃには、上述したレンズ４２ｃが収容される。開口部４６ｂは、挿入口３３から挿入されたカードを収容するためのスペースを形成する。ここで、シート４５は、バッテリ４１の側からトップカバー４６の開口部４６ｂを塞いでいるため、挿入口３３から挿入されたカードがバッテリ４１に接触することを防止できる。
【００４１】
図２，５等に示すように、開口部４６ｂは、一対の凹部４６ｂ１を有する。一対の凹部４６ｂ１を形成することにより、一対の凹部４６ｂ１の間に位置する部分（変形部）４６ｂ２を、図２の紙面の前方又は後方に変形させることができる。挿入口３３にカードを挿入したとき、変形部４６ｂ２を図２の紙面の後方に変形させることにより、カードを開口部４６ｂに収容しやすくなる。ここで、トップカバー４６及びシート４５の間に隙間を形成しておくことにより、変形部４６ｂ２を図２の紙面の後方に変形させやすくなる。
【００４２】
なお、本実施形態では、挿入口３３にカードを挿入できるようにしているが、挿入口３３を省略することもできる。この場合には、トップカバー４６に開口部４６ｂを形成する必要が無いとともに、シート４５を設ける必要も無い。
【００４３】
トップカバー４６のうち、折り曲げ部１１と隣り合う外縁部には、ガイド部材４６ｄが設けられている。ガイド部材４６ｄは、ケーブル４３を収容するための凹部４６ｄ１を有する。フリップケース１が図２に示す状態にあるとき、すなわち、ケース本体１０が平面に沿って配置されており、ホルダ２０及びバッテリモジュール４０が同一平面内に配置されているとき、凹部４６ｄ１は、ホルダ２０に向かって開口している。これにより、ホルダ２０の側からケーブル４３を凹部４６ｄ１に収容したり、凹部４６ｄ１に収容されたケーブル４３をホルダ２０の側に引き出したりすることができる。
【００４４】
ケーブル４３を凹部４６ｄ１に収容したとき、ケーブル４３の外周面が凹部４６ｄ１の壁面と密接することにより、ケーブル４３を位置決めすることができる。ケーブル４３を位置決めすることにより、ケーブル４３の一端に設けられた第１コネクタ４３ａも位置決めすることができる。このように、ケーブル４３や第１コネクタ４３ａを位置決めすることにより、折り曲げ部１１を折り曲げるときに、ケーブル４３や第１コネクタ４３ａがケース本体１０と干渉することを抑制でき、折り曲げ部１１を折り曲げやすくなる。
【００４５】
なお、凹部４６ｄ１が開口する方向は、上述した方向（ホルダ２０に向かう方向）に限るものではない。すなわち、凹部４６ｄ１にケーブル４３を収容することができればよい。例えば、カバー３０が固定されるケース本体１０の表面（平面）と直交する方向において、凹部４６ｄ１が開口していてもよい。言い換えれば、図２の紙面の手前側に向かって、凹部４６ｄ１が開口していてもよい。
【００４６】
また、本実施形態では、ガイド部材４６ｄを設けているが、ガイド部材４６ｄを省略することもできる。ガイド部材４６ｄを省略しても、折り曲げ部１１をガイド面として用いることにより、ケーブル４３を折り曲げ部１１に沿って配置することができる。
【００４７】
図４に示すように、回路基板４２には配線４２ｄの一端が接続されており、回路基板４２から配線４２ｄが延びている。そして、配線４２ｄは、バッテリ４１の外縁に沿って配置されている。具体的には、配線４２ｄは、バッテリ４１における図４の左側（ケーブル４３が配置されている側とは反対側）に位置する外縁に沿って配置されているとともに、バッテリ４１における図４の下側（回路基板４２が配置されている側とは反対側）に位置する外縁に沿って配置されている。配線４２ｄの他端は、ケーブル４３の第２コネクタ４３ｂに接続されている。
【００４８】
バッテリ４１の電力を用いて携帯機器を充電するときには、図６に示すように、ケーブル４３をガイド部材４６ｄの凹部４６ｄ１から引き出す。図６では、ホルダ２０に携帯機器Ｍが取り付けられており、携帯機器ＭのコネクタＣは、ホルダ２０の切り欠き部２２の内側に位置する。また、携帯機器Ｍの前面には、ディスプレイＤが設けられており、折り曲げ部１１を折り曲げてフリップケース１を閉じたときには、カバー３０がディスプレイＤを覆う。ディスプレイＤとしては、タッチパネル式のディスプレイを用いることができる。
【００４９】
図６に示すようにケーブル４３を屈曲させて、第１コネクタ４３ａの端子４３ａ１を携帯機器ＭのコネクタＣに接続することができる。上述したように、第１コネクタ４３ａは、ケーブル４３、第２コネクタ４３ｂ、配線４２ｄ及び回路基板４２を介してバッテリ４１に接続されているため、バッテリ４１からの電力を携帯機器Ｍに供給して携帯機器Ｍに内蔵された電池を充電することができる。
【００５０】
バッテリ４１の充電容量が低下したときには、第１コネクタ４３ａを外部電源（例えば、商用電源）と接続することにより、外部電源からの電力をバッテリ４１に供給してバッテリ４１を充電することができる。第１コネクタ４３ａを外部電源と接続するときには、ケーブル４３をガイド部材４６ｄの凹部４６ｄ１から引き出せばよい。バッテリ４１を充電したときには、バッテリ４１の充電容量の増加に応じて、発光する発光素子４２ｂの数が増加する。
【００５１】
本実施形態では、ケーブル４３をフリップケース１の上下方向に沿って配置するとともに、第１コネクタ４３ａをフリップケース１の上端に配置することにより、ケーブル４３を屈曲させるだけで、フリップケース１の下端に位置する携帯機器ＭのコネクタＣに第１コネクタ４３ａを接続することができる。ここで、フリップケース１の上端、すなわち、携帯機器ＭのコネクタＣが位置するフリップケース１の下端とは反対側の位置に、第１コネクタ４３ａを配置することにより、コネクタＣとの接続位置まで第１コネクタ４３ａを移動させるだけの十分な長さをケーブル４３に持たせることができる。
【００５２】
なお、図７に示すように、第１コネクタ４３ａに、つまみ部４３ｃを設けることができる。つまみ部４３ｃは、第１コネクタ４３ａから折り曲げ部１１に向かって突出している。使用者は、つまみ部４３ｃを保持することにより、第１コネクタ４３ａを切り欠き部３１から引き出しやすくなる。
【００５３】
つまみ部４３ｃは可撓性を有しており、折り曲げ部１１を折り曲げたときに、つまみ部４３ｃが折り曲げ部１１に沿って変形することができる。例えば、つまみ部４３ｃは、ゴムなどの弾性材料で形成することができる。つまみ部４３ｃを折り曲げ部１１に沿って変形させることにより、つまみ部４３ｃが折り曲げ部１１の折り曲げを阻害することを防止できる。
【００５４】
つまみ部４３ｃを設ける位置は、図７に示す位置に限るものではない。すなわち、つまみ部４３ｃを用いて、第１コネクタ４３ａを引き出しやすくなればよく、この効果が得られる限り、つまみ部４３ｃを設ける位置は、適宜決めることができる。例えば、つまみ部４３ｃを、第１コネクタ４３ａからフリップケース１の上方に向かって突出させることができる。一方、つまみ部４３ｃを設ける場合には、フリップケース１の外側につまみ部４３ｃを突出させないことが好ましい。具体的には、フリップケース１の内側につまみ部４３ｃが収まるように、言い換えれば、つまみ部４３ｃがケース本体１０と重なるように、つまみ部４３ｃを配置することができる。
【００５５】
（第２実施形態）
本発明の第２実施形態であるフリップケース１について、図８を用いて説明する。本実施形態において、第１実施形態で説明した部材と同様の機能を有する部材については同一の符号を用いる。以下、第１実施形態と異なる点について、主に説明する。
【００５６】
本実施形態では、第１実施形態と比べて、第１コネクタ４３ａを配置する位置が異なっている。第１コネクタ４３ａの端子４３ａ１は、ケース本体１０に固定された端子カバー１３に収容される。端子４３ａ１を端子カバー１３に収容することにより、端子４３ａ１を保護することができる。ここで、端子カバー１３は、ケース本体１０の折り曲げ部１１に固定されているとともに、フリップケース１の上端側に配置されている。第１コネクタ４３ａの端子４３ａ１を端子カバー１３に収容したとき、第１コネクタ４３ａは、折り曲げ部１１の表面に配置される。
【００５７】
端子カバー１３及び第１コネクタ４３ａは、フリップケース１の左右方向（図８の左右方向）において、カバー３０及びホルダ２０のそれぞれから離れた位置に配置されている。これにより、折り曲げ部１１を折り曲げるときに、端子カバー１３及び第１コネクタ４３ａが、カバー３０及びホルダ２０のそれぞれと干渉することを抑制できる。したがって、折り曲げ部１１を折り曲げやすくなる。折り曲げ部１１を折り曲げたときには、図９に示すように、折り曲げ部１１、ホルダ２０及びカバー３０によって囲まれたスペースＳに端子カバー１３が配置される。
【００５８】
本実施形態では、第１実施形態と同様に、ケーブル４３を屈曲させるだけで、第１コネクタ４３ａの端子４３ａ１を携帯機器ＭのコネクタＣに接続することができる。そして、バッテリ４１からの電力を携帯機器Ｍに供給して、携帯機器Ｍに内蔵された電池を充電することができる。一方、第１コネクタ４３ａを外部電源に接続することにより、外部電源からの電力をバッテリ４１に供給して、バッテリ４１を充電することができる。
【００５９】
端子カバー１３を配置する位置は、携帯機器ＭのコネクタＣとの接続位置まで第１コネクタ４３ａを移動させるのに十分な長さをケーブル４３に持たせることを考慮して決めればよい。図８から分かるように、端子カバー１３を配置する位置がフリップケース１の上端に近づくほど、ケーブル４３の長さが長くなり、第１コネクタ４３ａをコネクタＣに接続しやすくなる。一方、端子カバー１３を配置する位置がフリップケース１の上端から離れるほど、ケーブル４３の長さが短くなり、第１コネクタ４３ａをコネクタＣに接続させにくくなる。この点を考慮して、端子カバー１３を配置する位置を決めることができる。
【００６０】
本実施形態の変形例について、図１０を用いて説明する。本変形例では、本実施形態と同様に端子カバー１３が設けられており、第１コネクタ４３ａの端子４３ａ１が端子カバー１３に収容される。本変形例では、折り曲げ部１１の表面において、ケーブル４３の一部を屈曲させている。これにより、ケーブル４３の一部を屈曲させた分だけ、ケーブル４３の全長を長くすることができ、第１コネクタ４３ａの端子４３ａ１を携帯機器ＭのコネクタＣに接続しやすくなる。
【００６１】
ケーブル４３の一部を屈曲させるときには、ケーブル４３の屈曲部分をホルダ２０から離すことが好ましい。これにより、折り曲げ部１１を折り曲げるときに、ケーブル４３の屈曲部分がホルダ２０と干渉することを防止でき、折り曲げ部１１を折り曲げやすくなる。
【００６２】
本実施形態及び本実施形態の変形例において、第１実施形態で説明したつまみ部４３ｃを第１コネクタ４３ａに設けることができる。これにより、使用者は、つまみ部４３ｃを保持することにより、第１コネクタ４３ａを端子カバー１３から取り外しやすくなる。
【００６３】
（第３実施形態）
本発明の第３実施形態であるフリップケース１について、図１１を用いて説明する。本実施形態において、第１実施形態で説明した部材と同様の機能を有する部材については同一の符号を用いる。以下、第１実施形態と異なる点について、主に説明する。
【００６４】
第１実施形態では、１つのケース本体１０にホルダ２０及びカバー３０を固定しているが、本実施形態では、ホルダ２０が固定される第１ケース本体１０Ａと、カバー３０が固定される第２ケース本体１０Ｂとを分離している。
【００６５】
第１ケース本体１０Ａは、ホルダ２０の外形に沿った形状に形成されている。第２ケース本体１０Ｂ及びカバー３０の間に形成されたスペースには、第１実施形態と同様に、バッテリ４１等が配置されている。また、第２ケース本体１０Ｂには、折り曲げ部１１に沿って装着シート５０が設けられており、装着シート５０は、第１ケース本体１０Ａの外側の面に着脱可能に装着される。第１ケース本体１０Ａの外側の面とは、第１ケース本体１０Ａにおいて、ホルダ２０が固定されている面とは反対側の面である。装着シート５０を第１ケース本体１０Ａの外側の面に装着させることにより、第１ケース本体１０Ａ，１０Ｂを一体的に構成することができる。
【００６６】
装着シート５０としては、例えば、粘着性を有するシートが挙げられる。このシートの粘着面を第１ケース本体１０Ａの外側の面に貼り付けることにより、第２ケース本体１０Ｂを第１ケース本体１０Ａに着脱可能に取り付けることができる。
【００６７】
本実施形態のように第１ケース本体１０Ａ，１０Ｂを分離させれば、第２ケース本体１０Ｂが装着される第１ケース本体１０Ａを変更することができる。例えば、互いに異なる形状を有する複数種類のホルダ２０があるときには、ホルダ２０の種類の数だけ、ホルダ２０が固定された第１ケース本体１０Ａが用意される。この場合には、第２ケース本体１０Ｂが装着される第１ケース本体１０Ａを変更することにより、複数種類のホルダ２０に対して互換性を持たせることができる。
【００６８】
なお、本実施形態では、装着シート５０がフリップケース１の上下方向（図１１の上下方向）に延びているが、装着シート５０の形状は適宜決めることができる。すなわち、装着シート５０を用いて、第１ケース本体１０Ａ，１０Ｂを着脱可能に装着することができればよい。
【００６９】
また、装着シート５０の代わりに、面ファスナーを用いることもできる。この場合には、第１ケース本体１０Ａ，１０Ｂのそれぞれに面ファスナーを固定しておけばよい。具体的には、第２ケース本体１０Ｂには、装着シート５０が設けられた面に面ファスナーを設け、第１ケース本体１０Ａには、外側の面に面ファスナーを設けることができる。これらの面ファスナーを合わせることにより、第１ケース本体１０Ａ，１０Ｂを着脱可能に装着することができる。
【００７０】
本実施形態では、第１実施形態で説明したケース本体１０を２つの第１ケース本体１０Ａ，１０Ｂに分離しているが、これに限るものではない。具体的には、第２実施形態で説明したケース本体１０を本実施形態と同様に２つのケース本体に分離することができる。ここで、カバー３０が固定されるケース本体には、第２実施形態で説明した端子カバー１３が固定されるとともに、本実施形態で説明した装着シート５０が固定される。
【符号の説明】
【００７１】
１：フリップケース、１０：ケース本体、１１：折り曲げ部、２０：ホルダ、
２２：切り欠き部、３０：カバー、４０：バッテリモジュール、４１：バッテリ、
４２：回路基板、４２ａ：切り欠き部、４２ｄ：配線、４３：ケーブル、
４３ａ：第１コネクタ、４３ｂ：第２コネクタ、４６ｄ：ガイド部材、Ｍ：携帯機器、
Ｃ：コネクタ、Ｄ：ディスプレイ
【図１】
2019022336.tif 000003
【図２】
2019022336.tif 000004
【図３】
2019022336.tif 000005
【図４】
2019022336.tif 000006
【図５】
2019022336.tif 000007
【図６】
2019022336.tif 000008
【図７】
2019022336.tif 000009
【図８】
2019022336.tif 000010
【図９】
2019022336.tif 000011
【図１０】
2019022336.tif 000012
【図１１】
2019022336.tif 000013
【手続補正書】
【提出日】平成29年8月7日(2017.8.7)
【手続補正１】
【補正対象書類名】特許請求の範囲
【補正対象項目名】全文
【補正方法】変更
【補正の内容】
【特許請求の範囲】
【請求項１】
携帯機器を収容するフリップケースであって、
前記携帯機器のコネクタを露出させる切り欠き部を備え、前記携帯機器を保持するホルダと、
前記携帯機器に供給される電力を蓄えるバッテリモジュールと、
折り曲げ部を備え、前記折り曲げ部を境界として分けられた２つの領域に前記ホルダ及び前記バッテリモジュールがそれぞれ固定されるケース本体と、を有し、
前記バッテリモジュールは、
蓄電素子と、
前記蓄電素子と接続され、前記折り曲げ部に沿って配置されるケーブルと、
前記ケーブルの先端に設けられ、前記コネクタと着脱可能に接続されるケーブルコネクタと、
前記折り曲げ部に沿って前記蓄電素子と並んで配置され、前記蓄電素子の充放電を制御する回路が実装された回路基板と、を有し、
前記ケーブルが前記折り曲げ部に沿って配置されているとき、前記ケーブルコネクタは、前記折り曲げ部に沿った方向において、前記切り欠き部とは反対側に配置されており、
前記回路基板は、前記ケーブルコネクタを収容するスペースを形成するための切り欠き部を有することを特徴とするフリップケース。
【請求項２】
前記バッテリモジュールは、前記ケーブルを収容する凹部を備え、前記ケーブルを前記折り曲げ部に沿って配置させるガイド部材を有することを特徴とする請求項１に記載のフリップケース。
【請求項３】
前記ホルダ及び前記バッテリモジュールが同一平面内に配置されているとき、前記凹部は、前記ホルダに向かって開口していることを特徴とする請求項２に記載のフリップケース。
【請求項４】
前記バッテリモジュールは、一端が前記回路基板に接続され、他端が前記ケーブルの基端部に接続された配線を有しており、
前記配線は、前記蓄電素子の外縁のうち、前記ケーブルが配置される側とは反対側の外縁と、前記回路基板が配置される側とは反対側の外縁に沿って配置されていることを特徴とする請求項１から３のいずれか１つに記載のフリップケース。
【請求項５】
前記バッテリモジュールは、前記ケーブルコネクタから突出し、使用者によって保持されるつまみ部を有することを特徴とする請求項１から４のいずれか１つに記載のフリップケース。
【請求項６】
前記ケース本体は、
前記ホルダが固定される第１ケース本体と、
前記バッテリモジュールが固定され、前記第１ケース本体に着脱可能に装着される第２ケース本体と、
を有することを特徴とする請求項１から５のいずれか１つに記載のフリップケース。
【請求項７】
前記蓄電素子は、全固体電池であることを特徴とする請求項１から６のいずれか１つに記載のフリップケース。
【請求項８】
フリップケースに収容された携帯機器に供給される電力を蓄えるバッテリモジュールであって、
前記フリップケースは、
前記携帯機器のコネクタを露出させる切り欠き部を備え、前記携帯機器を保持するホルダと、
折り曲げ部を備え、前記折り曲げ部を境界として分けられた２つの領域に前記ホルダ及び前記バッテリモジュールがそれぞれ固定されるケース本体と、を有し、
前記バッテリモジュールは、
蓄電素子と、
前記蓄電素子と接続され、前記折り曲げ部に沿って配置されるケーブルと、
前記ケーブルの先端に設けられ、前記コネクタと着脱可能に接続されるケーブルコネクタと、
前記折り曲げ部に沿って前記蓄電素子と並んで配置され、前記蓄電素子の充放電を制御する回路が実装された回路基板と、を有し、
前記ケーブルが前記折り曲げ部に沿って配置されるとき、前記ケーブルコネクタは、前記折り曲げ部に沿った方向において、前記切り欠き部とは反対側に配置されており、
前記回路基板は、前記ケーブルコネクタを収容するスペースを形成するための切り欠き部を有することを特徴とするバッテリモジュール。
【手続補正２】
【補正対象書類名】明細書
【補正対象項目名】０００７
【補正方法】変更
【補正の内容】
【０００７】
バッテリモジュールは、蓄電素子と、ケーブルと、ケーブルコネクタと、回路基板とを有する。ケーブルは、蓄電素子と接続され、折り曲げ部に沿って配置される。ケーブルコネクタは、ケーブルの先端に設けられ、コネクタと着脱可能に接続される。回路基板は、折り曲げ部に沿って蓄電素子と並んで配置されており、回路基板には、蓄電素子の充放電を制御する回路が実装されている。ここで、ケーブルが折り曲げ部に沿って配置されているとき、ケーブルコネクタは、折り曲げ部に沿った方向において、切り欠き部とは反対側に配置される。回路基板は、ケーブルコネクタを収容するスペースを形成するための切り欠き部を有する。
【手続補正３】
【補正対象書類名】明細書
【補正対象項目名】００１０
【補正方法】削除
【補正の内容】
【手続補正４】
【補正対象書類名】明細書
【補正対象項目名】００１６
【補正方法】変更
【補正の内容】
【００１６】
バッテリモジュールは、蓄電素子と、ケーブルと、ケーブルコネクタと、回路基板とを有する。ケーブルは、蓄電素子と接続され、折り曲げ部に沿って配置される。ケーブルコネクタは、ケーブルの先端に設けられ、コネクタと着脱可能に接続される。回路基板は、折り曲げ部に沿って蓄電素子と並んで配置されており、回路基板には、蓄電素子の充放電を制御する回路が実装されている。ここで、ケーブルが折り曲げ部に沿って配置されるとき、ケーブルコネクタは、折り曲げ部に沿った方向において、切り欠き部とは反対側に配置される。回路基板は、ケーブルコネクタを収容するスペースを形成するための切り欠き部を有する。